(57)【特許請求の範囲】
【請求項１】
住戸ごとに配置される住宅情報盤と、共用玄関に配置される共同玄関子機と、前記住宅情報盤に情報を配信する管理装置と、前記住宅情報盤との間で第１の通信路を通してデジタル通信を行い、前記共同玄関子機との間で第２の通信路を通してデジタル通信を行い、前記管理装置との間で第３の通信路を通してデジタル通信を行うシステム制御装置とを備え、前記システム制御装置は、前記住宅情報盤が前記管理装置および前記共同玄関子機との間で通信を行う際に時分割多重伝送方式でパケットを伝送するパケット多重化部を備え、前記第１の通信路と前記第２の通信路と前記第３の通信路とは互いに直接接続されず、前記住宅情報盤と前記共同玄関子機と前記管理装置とが前記システム制御装置を通して通信し、前記システム制御装置は、前記管理装置から前記住宅情報盤に情報が配信される際に当該情報の配信が完了したときに前記管理装置に完了を通知する配信確認処理部をさらに備え、前記管理装置は、完了の通知を前記システム制御装置から受け取るまでは電源の遮断を禁止する電源出力制御回路を備えることを特徴とする情報配信システム。
【請求項２】
前記住宅情報盤は、音声を入出力する音声入出力装置と、画像を表示する表示装置と、文字情報を前記表示装置と前記音声入出力装置との少なくとも一方に提示させるデータ変換部とを備え、前記パケットは、音声情報を含む音声パケットと、画像情報を含む画像パケットと、前記データ変換部において変換される文字情報を含む文字パケットとから選択されることを特徴とする請求項１記載の情報配信システム。
【請求項３】
前記住宅情報盤は、受信した文字情報を保存する記憶部と、前記記憶部に保存された文字情報から当該文字情報の有効期限に相当する日時を示す部位を抽出する日時抽出部と、現在日時を計時する時計部と、前記日時抽出部が抽出した日時と前記時計部が計時している現在日時とを比較する比較部と、前記時計部が計時している現在日時に対して過去である日時が前記日時抽出部に抽出された日時に含まれるときに、前記日時抽出部に抽出された日時を含む文字情報を前記記憶部から削除するデータ管理部とを備えることを特徴とする請求項２記載の情報配信システム。
【請求項４】
前記住宅情報盤は、文字情報から当該文字情報の有効期限に相当する日時を示す部位を抽出する日時抽出部と、文字情報を保存する記憶部と、文字情報を新たに受信した時点において、新たに受信した文字情報から前記日時抽出部が抽出した第１の日時と前記記憶部に保存されている文字情報から前記日時抽出部が抽出した第２の日時とを比較する比較部と、前記第１の日時に一致する前記第２の日時が存在するときに、前記記憶部において前記第１の日時に一致する前記第２の日時を含む文字情報を、新たに受信した文字情報に置換するデータ管理部とを備えることを特徴とする請求項２記載の情報配信システム。
【請求項５】
前記住宅情報盤は、文字情報から当該文字情報の内容に関する表題を示す部位を抽出する表題抽出部と、文字情報を保存する記憶部と、文字情報を新たに受信した時点において、新たに受信した文字情報から前記表題抽出部が抽出した第１の表題と前記記憶部に保存されている文字情報から前記表題抽出部が抽出した第２の表題とを比較する比較部と、前記第１の表題に一致する前記第２の表題が存在するときに、前記記憶部において前記第１の表題に一致する前記第２の表題を含む文字情報を、新たに受信した文字情報に置換するデータ管理部とを備えることを特徴とする請求項２記載の情報配信システム。
【請求項６】
前記住宅情報盤は、受信した文字情報を保存する記憶部と、前記記憶部に保存された文字情報から当該文字情報の有効期限に相当する日時を示す部位を抽出する日時抽出部と、現在日時を計時する時計部と、前記共同玄関子機との通信が終了した時点において、前記記憶部に保存されている文字情報から前記日時抽出部が抽出した日時と前記時計部が計時している現在日時とを比較する比較部と、前記時計部が計時している現在日時に対して未来である日時が前記日時抽出部に抽出された日時に含まれるときに、前記日時抽出部が抽出した日時を含む文字情報を前記データ変換部を通して提示させるデータ管理部とを備えることを特徴とする請求項２記載の情報配信システム。
【請求項７】
住戸ごとに配置される住宅情報盤との間で第１の通信路を通してデジタル通信を行う第１の通信インターフェイス部と、共用玄関に配置される共同玄関子機との間で第２の通信路を通してデジタル通信を行う第２の通信インターフェイス部と、前記住宅情報盤に情報を配信する管理装置との間で第３の通信路を通してデジタル通信を行う第３の通信インターフェイス部と、前記住宅情報盤が前記管理装置および前記共同玄関子機との間で通信を行う際に時分割多重伝送方式でパケットを伝送するパケット多重化部の機能を有した制御部とを備え、前記第１の通信路と前記第２の通信路と前記第３の通信路とは互いに直接接続されず、前記住宅情報盤と前記共同玄関子機と前記管理装置とが前記制御部を通して通信し、前記管理装置から前記住宅情報盤に情報が配信される際に当該情報の配信が完了したときに前記管理装置に完了を通知する配信確認処理部をさらに備え、前記管理装置が備える電源出力制御回路に、前記完了の通知を受け取るまで電源の遮断を禁止させることを特徴とするシステム制御装置。
【発明の詳細な説明】
【技術分野】
【０００１】
本発明は、集合住宅において構内通信網を通して情報配信を行う情報配信システム、この情報配信システムを構築するために用いるシステム制御装置に関するものである。
【背景技術】
【０００２】
従来から、集合住宅用インターホンシステムにおいて、管理室に設置された管理室親機からの指示により、住戸に配置された居室機に対して、行事や予定表を配信する技術が提案されている（たとえば、特許文献１、特許文献２参照）。
【０００３】
特許文献１には、集合住宅のエントランスに設置された集合玄関機と、管理室に設置された管理室親機と、住戸に設置された居室機とが、それぞれ幹線を介して制御機に接続されたインターホンシステムが記載されている。制御機には幹線を介してサーバも接続されている。
【０００４】
特許文献１に記載されたインターホンシステムでは、伝言メモや回覧情報を居室機に送信するために管理室親機が操作されると、伝言メモや回覧情報が制御機を経由してサーバに送信され、サーバによって伝言メモや回覧情報が加工される。また、制御機は、サーバで加工された伝言メモや回覧情報を居室機に送信する機能を備える。つまり、制御機は、集合玄関機と管理室親機と居室機とサーバとの間で通信の制御を行う機能を備えている。
【０００５】
特許文献２にも特許文献１と同様に、集合玄関機と管理室親機と居室親機とが、それぞれデータ幹線を介して制御機に接続されたインターホンシステムが記載されている。特許文献２に記載されたインターホンシステムはサーバを備えていないが、制御機は、集合玄関機、居室親機、管理室親機をそれぞれ制御する旨の記載がある。
【先行技術文献】
【特許文献】
【０００６】
【特許文献１】特開２００２−５７８０５号公報
【特許文献２】特開２０１０−７４４５７号公報
【発明の概要】
【発明が解決しようとする課題】
【０００７】
特許文献１、特許文献２に記載されたインターホンシステムは、ともに制御機を備えており、集合玄関機、管理室親機、居室機（居室親機）との間の通信が制御機により制御されている。
【０００８】
しかしながら、特許文献１には、主として住戸の留守時に発生した情報の管理を行うことを課題とする技術が記載されており、集合玄関機との通話中に発生した情報の扱いについては記載されていない。また、特許文献２には、主として居室親機からの回答が必要になるアンケートの扱いを容易にすることを課題とする技術が記載されており、特許文献１と同様に、集合玄関機との通話中に発生した情報の扱いについては記載されていない。
【０００９】
要するに、特許文献１、特許文献２には、居室機（居室親機）が集合玄関機と通話している間に、管理室親機が情報を発信した場合の対応を考慮した技術が記載されていない。言い換えると、居室機が集合玄関機と通信を行っている間に、管理室親機は居室機に対して情報を配信することができないという問題がある。
【００１０】
本発明は、住戸に配置された住宅情報盤と共同玄関に配置された共同玄関子機との間で通信を行っている期間でも、管理室などに配置された管理装置が住宅情報盤に情報を配信することを可能にした情報配信システムを提供することを目的とし、さらにこの情報配信システムに用いるシステム制御装置を提供することを目的とする。
【課題を解決するための手段】
【００１１】
本発明に係る情報配信システムは、住戸ごとに配置される住宅情報盤と、共用玄関に配置された共同玄関子機と、住宅情報盤に情報を配信する管理装置と、住宅情報盤との間で第１の通信路を通してデジタル通信を行い、共同玄関子機との間で第２の通信路を通してデジタル通信を行い、管理装置との間で第３の通信路を通してデジタル通信を行うシステム制御装置とを備え、システム制御装置は、住宅情報盤が管理装置および共同玄関子機との間で通信を行う際に時分割多重伝送方式でパケットを伝送するパケット多重化部を備え、第１の通信路と第２の通信路と第３の通信路とは互いに直接接続されず、住宅情報盤と共同玄関子機と管理装置とがシステム制御装置を通して通信し、システム制御装置は、管理装置から住宅情報盤に情報が配信される際に当該情報の配信が完了したときに管理装置に完了を通知する配信確認処理部をさらに備え、管理装置は、完了の通知をシステム制御装置から受け取るまでは電源の遮断を禁止する電源出力制御回路を備えることを特徴とする。
【００１３】
この情報配信システムにおいて、住宅情報盤は、音声を入出力する音声入出力装置と、画像を表示する表示装置と、文字情報を表示装置と音声入出力装置との少なくとも一方に提示させるデータ変換部とを備え、パケットは、音声情報を含む音声パケットと、画像情報を含む画像パケットと、データ変換部において変換される文字情報を含む文字パケットとから選択されることが好ましい。
【００１４】
この情報配信システムにおいて、住宅情報盤は、受信した文字情報を保存する記憶部と、記憶部に保存された文字情報から当該文字情報の有効期限に相当する日時を示す部位を抽出する日時抽出部と、現在日時を計時する時計部と、日時抽出部が抽出した日時と時計部が計時している現在日時とを比較する比較部と、時計部が計時している現在日時に対して過去である日時が日時抽出部に抽出された日時に含まれるときに、日時抽出部に抽出された日時を含む文字情報を記憶部から削除するデータ管理部とを備えることがさらに好ましい。
【００１５】
この情報配信システムにおいて、住宅情報盤は、文字情報から当該文字情報の有効期限に相当する日時を示す部位を抽出する日時抽出部と、文字情報を保存する記憶部と、文字情報を新たに受信した時点において、新たに受信した文字情報から日時抽出部が抽出した第１の日時と記憶部に保存されている文字情報から日時抽出部が抽出した第２の日時とを比較する比較部と、第１の日時に一致する第２の日時が存在するときに、記憶部において第１の日時に一致する第２の日時を含む文字情報を、新たに受信した文字情報に置換するデータ管理部とを備えることがさらに好ましい。
【００１６】
この情報配信システムにおいて、住宅情報盤は、文字情報から当該文字情報の内容に関する表題を示す部位を抽出する表題抽出部と、文字情報を保存する記憶部と、文字情報を新たに受信した時点において、新たに受信した文字情報から表題抽出部が抽出した第１の表題と記憶部に保存されている文字情報から表題抽出部が抽出した第２の表題とを比較する比較部と、第１の表題に一致する第２の表題が存在するときに、記憶部において第１の表題に一致する第２の表題を含む文字情報を、新たに受信した文字情報に置換するデータ管理部とを備えることがさらに好ましい。
【００１７】
この情報配信システムにおいて、住宅情報盤は、受信した文字情報を保存する記憶部と、記憶部に保存された文字情報から当該文字情報の有効期限に相当する日時を示す部位を抽出する日時抽出部と、現在日時を計時する時計部と、共同玄関子機との通信が終了した時点において、記憶部に保存されている文字情報から日時抽出部が抽出した日時と時計部が計時している現在日時とを比較する比較部と、時計部が計時している現在日時に対して未来である日時が日時抽出部に抽出された日時に含まれるときに、日時抽出部が抽出した日時を含む文字情報をデータ変換部を通して提示させるデータ管理部とを備えることがさらに好ましい。
【００１８】
本発明に係るシステム制御装置は、住戸ごとに配置される住宅情報盤との間で第１の通信路を通してデジタル通信を行う第１の通信インターフェイス部と、共用玄関に配置される共同玄関子機との間で第２の通信路を通してデジタル通信を行う第２の通信インターフェイス部と、住宅情報盤に情報を配信する管理装置との間で第３の通信路を通してデジタル通信を行う第３の通信インターフェイス部と、住宅情報盤が管理装置および共同玄関子機との間で通信を行う際に時分割多重伝送方式でパケットを伝送するパケット多重化部の機能を有した制御部とを備え、第１の通信路と第２の通信路と第３の通信路とは互いに直接接続されず、住宅情報盤と共同玄関子機と管理装置とが制御部を通して通信し、管理装置から住宅情報盤に情報が配信される際に当該情報の配信が完了したときに管理装置に完了を通知する配信確認処理部をさらに備え、管理装置が備える電源出力制御回路に、完了の通知を受け取るまで電源の遮断を禁止させることを特徴とする。
【発明の効果】
【００１９】
本発明の構成によれば、住戸に配置された住宅情報盤と共同玄関に配置された共同玄関子機との間で通信を行っている期間でも、管理室などに配置された管理装置が住宅情報盤に情報を配信することが可能になるという利点がある。
【図面の簡単な説明】
【００２０】
【図１】実施形態を示すブロック構成図である。
【図２】同上に用いる住宅情報盤での表示例を示す図である。
【図３】同上におけるデータの配信手順の一例を示す図である。
【図４】同上に用いる住宅情報盤における制御部の一例を示すブロック図である。
【図５】同上に用いる住宅情報盤における制御部の他例を示すブロック図である。
【図６】同上に用いる住宅情報盤における制御部の別例を示すブロック図である。
【図７】同上の動作説明図である。
【発明を実施するための形態】
【００２１】
本実施形態は、図１のように、集合住宅の住戸ごとに配置された住宅情報盤２と、集合住宅の共用玄関に配置された共同玄関子機３と、管理室などに配置された管理装置４とが、集合住宅の建物内に敷設された構内通信網５を通して通信する構成例を示す。構内通信網５にはシステム制御装置１が接続される。構内通信網５は、デジタル通信を行うように構築され、有線の通信路と無線の通信路とが適宜に用いられる。
【００２２】
また、図示しているように、システム制御装置１は、構内通信網５のうちの第１の通信路５１を通して住宅情報盤２と通信し、構内通信網５のうちの第２の通信路５２を通して共同玄関子機３と通信する。さらに、システム制御装置１は、構内通信網５のうちの第３の通信路５３を通して管理装置４と通信する。システム制御装置１には、第１の通信路５１が接続される端子Ｔ１１と、第２の通信路５２が接続される端子Ｔ１２と、第３の通信路５３が接続されるコネクタＴ１３とが設けられる。第１の通信路５１と第２の通信路５２と第３の通信路５３とは、互いに直接接続されず、システム制御装置１を通してのみ通信することが可能になる。
【００２３】
具体的には、第１の通信路５１と第２の通信路５２とを通る通信信号は、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）などのデジタル変調を行った信号が用いられる。また、第３の通信路５３はＩＥＥＥ８０２．３に準拠する通信プロトコルを用いたベースバンドの信号を伝送する。そのため、システム制御装置１は、第１の通信路５１と第２の通信路５２と第３の通信路５３との間で相互に通信が可能となるように、通信プロトコルを変換したりルーティングを行ったりする機能を備えている。システム制御装置１の構成は後述する。
【００２４】
上述したように、構内通信網５は、デジタル通信を行うように構築されており、実際には、パケットを時分割多重伝送方式で伝送することにより通信を行っている。したがって、構内通信網５は、複数種類の情報を並行して伝送することができ、結果的に、情報の発生から到達までの時間が情報の種類によらずに平均化されている。構内通信網５を伝送される情報には、音声情報、画像情報、文字情報、制御情報などがある。以下では、音声情報を含むパケットを音声パケット、画像情報を含むパケットを画像パケット、文字情報を含むパケットを文字パケット、制御情報を含むパケットを制御パケットと呼ぶ。制御情報には、共同玄関子機３からの呼出の情報、管理装置４からの報知の情報などがある。
【００２５】
管理装置４は、たとえば、パーソナルコンピュータのような汎用機器で適宜のプログラムを実行することにより実現される。ただし、管理装置４は専用機器として構成されてもよい。管理装置４は、集合住宅の居住者に通知する文字情報や制御情報を生成し、住宅情報盤２に配信する機能を有する。
【００２６】
管理装置４は、第３の通信路５３が接続されるコネクタＴ４１を備え、また、スキャナのような外部機器を接続するためのコネクタＴ４２を備える。管理装置４は、プロセッサを主構成とする制御部４０を備え、記憶部４５に記憶されたプログラムに従って動作する。制御部４０は、通信インターフェイス回路４１を介してコネクタＴ４１と接続され、外部機器インターフェイス回路４２を介してコネクタＴ４２と接続される。さらに、管理装置４には、キーボードやマウスのような操作装置４３と、液晶表示器のような表示装置４４とが設けられる。図中の電源出力制御回路４６については後述する。
【００２７】
管理装置４の外部機器としてスキャナを接続している場合には、スキャナで読み込んだ画像情報を住宅情報盤２に伝送することが可能である。この場合、管理装置４は、スキャナで読み込んだ画像情報を加工したり、画像情報に文字情報によるコメントを付与することが可能である。また、管理装置４をインターネットのような公衆網に接続し、公衆網を通して外部のサーバから取得した画像情報や文字情報を住宅情報盤２に配信することも可能である。さらに、管理装置４にサーバの機能を持たせ、住宅情報盤２を管理装置４のクライアントとして通信を行うようにしてもよい。
【００２８】
共同玄関子機３は、第２の通信路５２が接続されるコネクタＴ３１を備える。共同玄関子機３は、プロセッサを主構成とする制御部３０を備え、記憶部３６に記憶されたプログラムに従って動作する。制御部４０は、幹線伝送インターフェイス回路３１を介してコネクタＴ３１と接続される。また、共同玄関子機３は、集合住宅の居住者や来訪者が操作するテンキーのような操作装置３２と、来訪者が住宅情報盤２と通話するための通話装置３３と、共用玄関の画像を撮像する撮像装置３４とを備える。さらに、図示例の共同玄関子機３は、発光ダイオードを用いた表示灯３５を備えている。
【００２９】
操作装置３２が来訪者に操作され、住宅情報盤２を特定して呼出信号（実際は、呼出の情報を含む制御パケット）が送出されると、呼出信号を受けた住宅情報盤２は、撮像装置３４が撮像した来訪者の画像に相当する画像パケットを受け取って表示装置２５（後述する）に表示する。また、呼出信号を受けた住宅情報盤２は、操作装置２６（後述する）を用いて来訪者と通話するか否かの選択が可能になる。すなわち、呼出信号を受けた住宅情報盤２が配置されている住戸の居住者は、住宅情報盤２に表示された来訪者を確認した後に、来訪者と通話するか否かを選択する操作が可能になる。
【００３０】
住宅情報盤２は、第１の通信路５１が接続されるコネクタＴ２１と、各住戸のドア横に配置される住戸子器（図示せず）を接続するためのコネクタＴ２２とを備える。住宅情報盤２は、プロセッサを主構成とする制御部２０を備え、記憶部２７に記憶されたプログラムに従って動作する。制御部２０は、幹線伝送インターフェイス回路２１を介してコネクタＴ２１と接続され、住戸子器インターフェイス回路２２を介してコネクタＴ２２と接続される。住宅情報盤２には、音声を入出力する音声入出力装置２３と、発光ダイオードを用いた表示灯２４と、画像を表示する表示装置２５と、タッチパネルのような操作装置２６とが設けられる。音声入出力装置２３は、マイクロホンとスピーカとを備え、主として共同玄関子機３および住戸子器との間で住戸の居住者が来訪者と通話を行うために用いられる。音声入出力装置２３は、ハンドセットとして構成されるほか、ハンズフリーでの通話が可能になるように構成されていてもよい。音声入出力装置２３は、共同玄関子機３から呼出信号を受けたことなどを居住者に報知するための報知音を出力する機能も備える。
【００３１】
表示装置２５は、液晶表示器のような表示器を備え、住宅情報盤２が共同玄関子機３から画像（つまり、画像パケット）を受け取ると共用玄関の画像を表示する。操作装置２６は、表示器の画面にタッチスイッチを重ねたタッチパネルを想定しているが、操作装置２６として、機械的に接点を開閉するスイッチを用いたり、タッチパネルとスイッチとを併用してもよい。操作装置２６を居住者が操作することによって、住宅情報盤２に対する指示操作が行われる。
【００３２】
制御部２０は、他装置から文字情報を受け取ったときに、文字情報を音声入出力装置２３と表示装置２５との少なくとも一方に提示させるデータ変換部２０１として機能する。データ変換部２０１は、文字情報を音声データに変換可能であるが、以下では、データ変換部２０１が文字情報を表示装置２５に提示させる画像データに変換する場合を想定して説明する。
【００３３】
システム制御装置１は、第１の通信路５１が接続される端子Ｔ１１と、第２の通信路５２が接続される端子Ｔ１２と、第３の通信路５３が接続されるコネクタＴ１３とを備えている。また、システム制御装置１は、プロセッサを主構成とする制御部１０を備え、記憶部１５に記憶されたプログラムに従って動作する。制御部１０は、第１の通信インターフェイス部１１を介して端子Ｔ１１に接続され、第２の通信インターフェイス部１２を介して端子Ｔ１２に接続され、第３の通信インターフェイス部１３を介してコネクタＴ１３に接続される。
【００３４】
制御部１０は、第１の通信路５１と第２の通信路５２と第３の通信路５３とで、パケットを組み立てて伝送するパケット多重化部１０１の機能を備える。また、パケット多重化部１０１は、上述した通信プロトコルの変換やルーティングを行う機能も備える。
【００３５】
上述のように、第１の通信インターフェイス部１１と第２の通信インターフェイス部１２と第３の通信インターフェイス部１３とは、同時並行してパケットを伝送することが可能である。たとえば、共同玄関子機３が住宅情報盤２との間で通話を行っている間に、当該住宅情報盤２に対して伝送する文字情報が管理装置４において発生した場合を考える。この場合、パケット多重化部１０１は、共同玄関子機３から住宅情報盤２に伝送している音声パケットおよび画像パケットに、管理装置４から住宅情報盤２に伝送する文字パケットを多重化する。したがって、住宅情報盤２は、共同玄関子機３との間で通話を行っている間に、管理装置４からの文字パケットを受信することが可能になる。
【００３６】
言い換えると、住宅情報盤２は、共同玄関子機３と通話している間に、管理装置４からの文字情報を遅滞なく受け取ることが可能になる。したがって、管理装置４は、住宅情報盤２に対して連絡事項などの情報を配信する際に、住宅情報盤２での通話が終了するのを待つ必要がない。その結果、管理装置４は、情報の配信をいつでも行えることになる。
【００３７】
ところで、住宅情報盤２に設けられた表示装置２５は３．５インチ程度とサイズが限られているから、共同玄関子機３から送信された画像情報から来訪者を識別する程度の用途であれば使用可能である。しかしながら、表示装置２５の１画面に、Ａ４版程度のサイズの情報を表示すると細部を読み取ることは困難である。すなわち、情報の視認性が低下するという問題を生じる。この問題は、表示装置２５に画像情報の一部を拡大して表示する機能を設けることにより解決されるが、連絡事項が１画面内に収まらないために情報の一覧性が低下することになる。
【００３８】
これに対して、管理装置４から住宅情報盤２に対して文字情報の伝送を可能にしているから、連絡事項などを文字情報として伝送することにより、視認性や一覧性を向上させることができる。また、文字情報に用いるフォントがアウトラインフォントであれば、拡大や縮小が容易であり、しかもビットマップの画像情報に比較すると、１画面に表示される情報量を増加させるために文字のサイズを縮小しても視認性が確保される。また、視力の低下した高齢者などにとっては、文字のサイズを拡大することによって視認性を高めることが可能である。
【００３９】
なお、管理装置４から住宅情報盤２に対して文字情報として配信する内容には、ごみ収集に関するごみの種類（可燃ごみ、資源ごみ、プラスチックなど）と収集日および時間帯、清掃や点検の実施日時、薬剤散布の実施日時などがある。その他、集会の実施日時および場所、催し物の実施日時および場所、自治会などの会議報告、警察・消防からの連絡事項なども住宅情報盤２に配信される。以下では、管理装置４から住宅情報盤２に配信する事項を「行事」と呼び、連絡事項には行事を実施する日時が含まれるものとして説明する。図２に住宅情報盤２の表示装置２５での行事の表示例を示す。
【００４０】
管理装置４から住宅情報盤２に対して文字情報を伝送するには、システム制御装置１において、音声パケット、画像パケット、制御パケットとともに、文字パケットを多重化し、住宅情報盤２において文字パケットに対応する処理を可能にすればよい。したがって、別途にサーバを設ける必要がなく、コスト増を抑制することができる。
【００４１】
ところで、管理装置４と住宅情報盤２との間にシステム制御装置１が介在しているから、管理装置４から住宅情報盤２に情報を配信したときに、管理装置４は住宅情報盤２に情報が到達したか否かを住宅情報盤２から直接確認することができない。そのため、システム制御装置１は、管理装置４からの情報が住宅情報盤２に到達したか否かを確認する配信確認処理部１０２を備える。図示例では制御部１０が配信確認処理部１０２として機能する。配信確認処理部１０２は、住宅情報盤２への情報の配信が完了したときに、管理装置４に対して情報配信の完了を通知する。管理装置４から複数台の住宅情報盤２を配信対象として情報を配信する場合、配信確認処理部１０２は、配信対象であるすべての住宅情報盤２への情報の配信が完了した時点で管理装置４に完了を通知する。
【００４２】
管理装置４は、配信確認処理部１０２から配信完了の通知を受け取るまでは電源の遮断を禁止する電源出力制御回路４６を備える。仮に、管理装置４が住宅情報盤２に配信する情報を送出した後に情報配信の完了を待たずに電源を遮断すると、情報の再送が行われなくなり、結果的に、住宅情報盤２の一部または全部において情報が未配信になる可能性が生じる。このような事態を回避するために、管理装置４は、住宅情報盤２への情報の配信を行った後、システム制御装置１から配信完了の通知が得られるまでの期間、電源の遮断が電源出力制御回路４６によって禁止される。システム制御装置１から管理装置４への配信完了の通知は、第３の通信インターフェイス部１３を用いて行われる。
【００４３】
具体例を説明する。図３に示すように、管理装置４は、スキャナのような外部機器から配信用のデータを入力したり、操作装置４３の操作によって配信用のデータを入力し、システム制御装置１にデータの配信を要求する。システム制御装置１は、管理装置４から受け取った配信用のデータを記憶部１５に記憶させた後、所要の住宅情報盤２に対してデータを配信する。複数台の住宅情報盤２にデータを配信する場合には、マルチキャスト通信を行う。後述するように、住宅情報盤２は記憶部２７（図１参照）を備えており、システム制御装置１から受信したデータを記憶部２７に保存する。
【００４４】
システム制御装置１は、データをマルチキャスト通信で住宅情報盤２に配信した後、住宅情報盤２ごとにデータの送達を確認する。この間、管理装置４の電源の遮断が禁止される。すべての住宅情報盤２に対してデータの送達が確認されると、システム制御装置１は、データの配信が完了したことを管理装置４に通知する。管理装置４は、システム制御装置１からの配信完了の通知を受信すると、電源出力制御回路４６から管理装置４の内部回路への電源供給の停止を許可する。
【００４５】
上述した動作によって、管理装置４から住宅情報盤２への情報の配信が完了していないときに、管理装置４の電源が遮断されることが防止される。したがって、集合住宅の管理人のような管理装置４の操作者が情報配信の操作を終了した時点で、操作者は情報配信を完了したと認識しているにもかかわらず、住宅情報盤２では配信された情報を受領していないという事態が生じるのを防止することになる。
【００４６】
なお、上述した動作では、システム制御装置１に配信確認処理部１０２を設けて住宅情報盤２への情報配信の完了を確認しているが、管理装置４に設けた電源出力制御回路４６において、情報配信の開始から一定の待機時間は電源の遮断を禁止する構成としてもよい。この場合、システム制御装置１から配信確認処理部１０２を省略することができる。
【００４７】
また、システム制御装置１に配信確認処理部１０２を設ける場合でも、待機時間による制御の機能を電源出力制御回路４６に付加してもよい。たとえば、システム制御装置１の異常により管理装置４に情報配信の完了を通知することができない場合には、管理装置４において待機時間の満了に伴って電源の遮断を可能にしておけばよい。この構成により、管理装置４の電源が遮断できなくなるという事態の発生を防止できる。待機時間は情報配信が完了する時間を考慮し、情報配信の完了までに想定される時間よりもやや長く設定する。
【００４８】
上述のように、管理装置４において電源出力制御回路４６が電源の遮断を禁止している期間に、電源の遮断を禁止していることを示すために制御部４０に報知部４０１の機能を設けてもよい。電源の遮断を禁止していることは、管理装置４から住宅情報盤２に対して情報を配信していることと等価であるから、報知部４０１は、管理装置４の操作者に対して、電源の遮断禁止と情報配信とのどちらの意味の報知を行ってもよい。報知部４０１は、管理装置４に設けた表示器の画面上にメッセージを表示することにより上記報知を行う。また、報知部４０１は、管理装置４に設けたスピーカを用いて聴覚的報知を行う構成、管理装置４に設けた表示灯を用いて視覚的報知を行う構成などを適宜に採用することが可能である。
【００４９】
上述したように、管理装置４から住宅情報盤２に文字情報を配信するために、住宅情報盤２は文字情報を扱う構成を備える。以下では、住宅情報盤２において文字情報を扱う際に利便性を高めるための技術について説明する。住宅情報盤２は、文字情報を記憶するとともに、記憶した文字情報に関して、「削除」「更新」「選択」の各操作を自動的に行うこと機能を備えている。「削除」は、記憶している文字情報から不要と推定される文字情報を自動的に削除することを意味する。「更新」は、記憶している文字情報を更新する文字情報を受け取った場合に自動的に更新することを意味する。また、「選択」は、記憶している文字情報の中から必要な情報を選択して提示する機能を意味する。
【００５０】
これらの機能を実現するために、住宅情報盤２は、幹線伝送インターフェイス回路２１を通して受け取った文字パケットから文字情報を抽出する機能を制御部２０に持たせている。制御部２０は、幹線伝送インターフェイス回路２１を通して受け取ったパケットの種類に応じて、当該パケットに対応する情報を抽出し、また複数のパケットに分割して伝送された情報を元の情報に復元する機能を備える。つまり、制御部２０は、音声パケットからは音声情報を抽出し、画像パケットからは画像情報を抽出し、文字パケットからは文字情報を抽出し、制御パケットからは制御情報を抽出する。
【００５１】
住宅情報盤２に設けた記憶部２７は、制御部２０が文字パケットから抽出した文字情報を保存する機能を備える。記憶部２７は、ひとまとまりの文字情報ごとに１つのファイルとして記憶する。たとえば、管理装置４から文字情報として通知された連絡事項は、ひとまとまりの文字情報であって、１つの連絡事項は１つのファイルとして記憶部２７に保存される。
【００５２】
「削除」の操作は、記憶部２７に保存されているいずれかのファイルが、規定の条件を満たしたときに、自動的に削除されることを意味している。「削除」の機能を実現するために、制御部２０は、図４に示すように、文字情報から当該文字情報の有効期限に相当する日時を示す部位を抽出する日時抽出部２０２を備える。
【００５３】
たとえば、住宅情報盤２に配信される行事の文字情報には、行事の実施日時が含まれているが、この実施日時が過ぎると、その文字情報は不要になる。すなわち、この種の文字情報は、有効期限に相当する日時を有している。実施日時（以下、「有効期限」という）が過ぎた文字情報が記憶部２７から自動的に削除されると、容量に限りのある住宅情報盤２の記憶部２７が有効に利用されることになる。
【００５４】
有効期限を持つ文字情報は、文字情報の中で有効期限を示す部位が他の部位と区別できるように記述される。有効期限を示す文字列を他の部位と区別する技術には、文字列の形式を定型とするか位置を固定する技術、文字列の前後の少なくとも一方に予約された特定の文字を挿入する技術、文字列の前後の少なくとも一方に不可視の制御文字を挿入する技術などがある。不可視の制御文字は、文字情報に含まれるが表示装置２５には表示されない文字であって、日時の位置を示すために用いる文字を意味する。
【００５５】
日時抽出部２０２は、１つのファイルとして扱われる文字情報が有効期限を表す日時を含んでいるか否かを判断し、有効期限を表す日時を含む場合には当該日時を示す部位（文字列）を文字情報から抽出する。「削除」の操作において有効期限を抽出する対象は、記憶部２７に保存されている文字情報（ファイル）であり、記憶部２７に保存されている文字情報の有効期限が現在日時に対して過去の日時であるときには、当該文字情報は不要になったとみなして記憶部２７から削除される。
【００５６】
現在日時は住宅情報盤２に設けた時計部２８（図１参照）が計時している。制御部２０は、記憶部２７に保存された文字情報から日時抽出部２０２が抽出した有効期限の日時と、時計部２８が計時した現在日時とを比較する比較部２０３としての機能も備える。さらに、制御部２０は、比較部２０３の比較結果が条件を満足したときに該当する文字情報を記憶部２７から削除するデータ管理部２０４としても機能する。すなわち、比較部２０３は、有効期限の日時が現在日時に対して過去の日時であるときに、当該有効期限を有した文字情報の名称（つまり、ファイル名）を「削除」の指示とともにデータ管理部２０４に通知する。データ管理部２０４は、日時抽出部２０２に抽出された日時が、時計部２８が計時している現在日時に対して過去であって「削除」が比較部２０３から通知されると、該当する文字情報を記憶部２７から削除する。
【００５７】
比較部２０３において記憶部２７に保存された文字情報から抽出した有効期限の日時を現在日時と比較するタイミングは、日毎の定時や週毎の定時などとすればよい。また、記憶部２７に保存された文字情報からあらかじめ有効期限の日時を抽出して保存しておき、保存した日時を一定時間毎に現在日時と比較してもよい。あるいはまた、条件が満たされた文字情報は、条件の成立時に削除するほか、条件の成立時点から規定した時間が経過した後に削除するようにしてもよい。
【００５８】
さらに、記憶部２７に保存された文字情報の「削除」を自動的に行うことが不都合な場合もあるから、住宅情報盤２は、文字情報の「削除」を自動的に行う動作の有効と無効とを選択可能にしておいてもよい。記憶部２７に保存された文字情報の「削除」を自動的に行わない場合、住宅情報盤２に指示操作を行うことにより文字情報の「削除」を行う構成、管理装置４などの他装置からの通信によって文字情報の「削除」を行う構成などを採用してもよい。記憶部２７に保存された文字情報の「削除」を自動で行わなければ、過去の文字情報を確認することが可能になる。
【００５９】
データ管理部２０４は、行事の連絡などに用いる文字情報が有効期限を過ぎていると、該当する文字情報のファイルを記憶部２７から自動的に削除するから、手動で文字情報を削除する場合の手間が省かれることになる。また、記憶部２７から不要な情報が削除されることにより、記憶部２７が容量不足になることを回避し、また不要な文字情報が記憶部２７に残らないから、記憶部２７に保存された文字情報から目的の文字情報を探し出すのが容易になる。
【００６０】
記憶部２７に保存された文字情報は、表示装置２５に一覧表示され、タッチパネルあるいはスイッチを用いて住宅情報盤２に対する指示操作が行われることにより、必要な文字情報が選択される。なお、記憶部２７に保存された文字情報は、住宅情報盤２への指示操作により、表示装置２５に１件ずつ順に表示させてもよい。
【００６１】
時計部２８は、制御部２０を構成するマイコンとは別に設けたリアルタイムクロックを想定しているが、マイコンのカウンタを用いて現在時刻を計時してもよい。時計部２８の初期設定は、基本的には住宅情報盤２に設けたタッチパネルあるいはスイッチによる指示操作で行えばよい。また、管理装置４がＮＴＰサーバなどから取得した時刻を、システム制御装置１を通して通信で取得することにより、時計部２８が計時する現在時刻を自動的に更新するようにしてもよい。
【００６２】
次に、「更新」の操作について説明する。「更新」の操作は、記憶部２７に保存されているいずれかの文字情報と住宅情報盤２が新たに受信した文字情報とが、同内容または同事項に関する情報と推定されたときに、記憶部２７に保存されている文字情報を受信した文字情報で置き換えることを意味する。つまり、記憶部２７に保存されている文字情報のうち新たに受信した文字情報と同内容または同事項である文字情報を削除し、新たに受信した文字情報を記憶部２７に保存するのである。
【００６３】
上述の処理が可能であると、管理装置４から配信した文字情報に誤りが発見された場合に文字情報の差し替えを容易に行うことができる。すなわち、文字情報の訂正のために同じ事項について修正した文字情報を管理装置４から新たに配信すると、後に配信した文字情報が前の文字情報に置き換えられることになる。その結果、記憶部２７には修正後の文字情報のみが保存されるから、住宅情報盤２において不要情報の提示が防止され、かつ無駄な文字情報による記憶部２７の容量不足が防止される。また、不要な文字情報が記憶部２７に残らないから、記憶部２７に保存された文字情報から目的の文字情報を探し出すのが容易になる。
【００６４】
比較する２種類の文字情報を同内容または同事項と判断する条件には、文字情報の有効期限に相当する日時を用いた条件と、文字情報の内容に関する表題を用いた条件との２種類が用意されている。
【００６５】
日時を用いた条件は、記憶部２７に保存されている文字情報の有効期限に相当する日時と、受信した文字情報の有効期限に相当する日時とが一致することであって、この条件が成立したときに、２つの文字情報は同内容に関する情報であると推定する。つまり、連絡事項が行事であるとすれば、上述したように、行事の実施日時が有効期限であって、実施日時が同じである場合に、同じ行事に関する文字情報と推定するのである。
【００６６】
上述した動作から明らかなように、「更新」の操作は、新たな文字情報の受信をトリガとして起動される。文字情報が受信されると、日時抽出部２０２は、受信した文字情報から有効期限に相当する日時（第１の日時）を抽出する。日時抽出部２０２は、記憶部２７に保存されている文字情報からも有効期限に相当する日時（第２の日時）を抽出する。ここに、記憶部２７に保存されている文字情報から日時を抽出する処理は、文字情報を受信する前にあらかじめ行い、抽出した日時を検索用として別に保存しておいてもよい。なお、日時抽出部２０２が受信した文字情報あるいは記憶部２７に保存されている文字情報から日時を抽出する処理は、「削除」の場合と同様である。
【００６７】
受信した文字情報から抽出された日時（第１の日時）と記憶部２７に保存された文字情報から抽出された日時（第２の日時）とは、比較部２０３において比較される。つまり、比較部２０３は、第１の日時に一致する第２の日時を含む文字情報が記憶部２７に保存されているか否かを検索する。さらに、比較部２０３は、第１の日時に一致する第２の日時を含む文字情報が記憶部２７に存在すると、当該文字情報の名称（つまり、ファイル名）を「更新」の指示とともにデータ管理部２０４に通知する。
【００６８】
データ管理部２０４は、受信した文字情報から抽出された日時に一致する日時が記憶部２７に保存された文字情報から抽出され、かつ「更新」の指示が比較部２０３から通知されると、記憶部２７の該当する文字情報を更新する。すなわち、データ管理部２０４は、記憶部２７において第１の日時に一致する第２の日時を含む文字情報を、新たに受信した文字情報に置換する。
【００６９】
日時ではなく表題を用いる場合には、図５に示すように、日時抽出部２０２に代えて表題抽出部２０５が制御部２０に設けられる。表題抽出部２０５は、受信した文字情報から当該文字情報の内容に関する表題を示す部位を抽出する。たとえば、連絡事項が行事である場合を想定すると、行事の名称が表題になる。
【００７０】
ところで、表題抽出部２０５が文字情報から表題を抽出するには、文字情報の中で表題を示す部位が他の部位と区別できるように文字情報を記述することが必要である。表題を示す文字列を他の部位と区別する技術には、文字列の形式を定型とするか位置を固定する技術、文字列の前後の少なくとも一方に予約された特定の文字を挿入する技術、文字列の前後の少なくとも一方に不可視の制御文字を挿入する技術などがある。すなわち、文字情報から日時を抽出する場合と同様に表題を抽出するための形式で文字情報が記述される。表題抽出部２０５は、１つのファイルとして扱われる文字情報から表題を示す部位（文字列）を抽出する。
【００７１】
表題を条件に用いて「更新」を行う場合、記憶部２７に保存されている文字情報に含まれる表題と、受信した文字情報に含まれる表題とが一致することを条件とする。この条件が成立したときに、２つの文字情報は同内容に関する情報であると推定する。要するに、表題が同じである文字情報は、同じ内容に関する文字情報と推定される。たとえば、連絡事項が行事であれば、行事の表題が同じである場合に、同じ行事に関する文字情報と推定される。
【００７２】
「更新」の操作は、新たな文字情報の受信をトリガとして起動され、文字情報が受信されると、表題抽出部２０５は、受信した文字情報から表題（第１の表題）を抽出する。また、表題抽出部２０５は、記憶部２７に保存されている文字情報からも表題（第２の表題）を抽出する。なお、記憶部２７に保存されている文字情報から表題を抽出する処理は、文字情報を受信する前にあらかじめ行い、抽出した表題を検索用として別に保存しておいてもよい。
【００７３】
受信した文字情報から抽出された第１の表題と記憶部２７に保存された文字情報から抽出された第２の表題とは、比較部２０３において比較される。つまり、比較部２０３は、第１の表題に一致する第２の表題を含む文字情報が記憶部２７に保存されているか否かを検索する。また、比較部２０３は、第１の表題に一致する第２の表題を含む文字情報が記憶部２７に存在すると、当該文字情報の名称（つまり、ファイル名）を「更新」の指示とともにデータ管理部２０４に通知する。
【００７４】
データ管理部２０４は、受信した文字情報から抽出された表題に一致する表題が記憶部２７に保存された文字情報から抽出され、かつ「更新」の指示が比較部２０３から通知されると、記憶部２７の該当する文字情報を更新する。すなわち、データ管理部２０４は、記憶部２７において第１の表題に一致する第２の表題を含む文字情報を、新たに受信した文字情報に置換する。
【００７５】
ここにおいて、２つの文字情報が同内容または同事項であることを判断するために、日時を条件に用いている場合、日時を変更する修正には対応できないが、この場合は表題を条件に用いることによって対応可能になる。したがって、更新の条件は、日時と表題との両方を用いて判断し、日時と表題との一方について条件が成立したときに更新を行うことが好ましい。あるいはまた、日時と表題とのうち表題を優先的に用い、表題が一致することを条件として更新を行い、表題が一致する文字情報が複数存在する場合には、表題が一致する文字情報の中で日時が一致する文字情報を更新を行うようにしてもよい。
【００７６】
ところで、上述の動作例では、記憶部２７に保存されている文字情報を受信した文字情報と近くするタイミングは、条件が成立した時点を想定しているが、条件が成立してから規定した時間が経過した後としてもよい。
【００７７】
また、記憶部２７に保存された文字情報の「更新」を自動的に行うことが不都合な場合もあるから、住宅情報盤２は、文字情報の「更新」を自動的に行う動作の有効と無効とを選択可能にしてもよい。記憶部２７に保存された文字情報の「更新」を自動的に削除しない場合、住宅情報盤２に指示操作を行うことにより文字情報の「更新」を行う構成、管理装置４などの他装置からの通信によって文字情報の「更新」を行う構成などを採用してもよい。
【００７８】
次に、「選択」の操作について説明する。「選択」の操作は、記憶部２７に保存された文字情報の中から必要な情報を選択し、共同玄関子機３との通信が終了した時点で選択した文字情報を住宅情報盤２に提示することを意味する。すなわち、「選択」は、共同玄関子機３との通信（通話）の終了をトリガとするから、制御部２０は、図６に示すように、共同玄関子機３との通信の開始および終了を検出する通信検出部２０６を備えている。通信検出部２０６は、共同玄関子機３との通信（つまり、通話）の終了を検出すると、通話終了の時点に時計部２８が計時している現在日時と、記憶部２７に保存されている文字情報から日時抽出部２０２が抽出した有効期限に相当する日時との比較を、比較部２０３に指示する。
【００７９】
日時抽出部２０２が記憶部２７に保存されている文字情報から有効期限に相当する日時を抽出する処理は、「削除」「更新」の際の処理と同様である。また、比較部２０３は、「削除」と同様に、記憶部２７に保存されている文字情報から抽出した日時と、時計部２８が計時している現在日時とを比較する。ただし、「削除」では現在日時に対して過去の日時に着目するのに対して、「選択」では現在日時に対して未来の日時に着目する。すなわち、「選択」では、記憶部２７から日時抽出部２０２が抽出した日時に、現在日時に対して未来である日時が含まれているときに、当該日時を含む文字情報の名称（つまり、ファイル名）と「選択」の指示をデータ管理部２０４に通知する。
【００８０】
ここで、記憶部２７に保存されている文字情報のうちデータ管理部２０４に名称が通知される文字情報は、共同玄関子機３との通信終了の日時と文字情報の有効期限の日時との関係によって選択される。基本的には、有効期限の日時と通信が終了した日時との差が最小である１つの文字情報が選択される。ただし、有効期限の日時が通信終了の日時から１週間以内の文字情報、あるいは有効期限の日時が通信終了の日時に近い所定個数の文字情報などが選択されてもよい。比較部２０３が複数個の文字情報を選択する場合は、データ管理部２０４は、文字情報の名称の一覧を表示装置２５に提示し、居住者が所望の名称を選択したときに、文字情報の内容を表示装置２５に表示すればよい。あるいはまた、データ管理部２０４は、複数個の文字情報のうちの１個の文字情報を表示装置２５に提示し、他の文字情報を表示装置２５に順送りに提示するようにしてもよい。
【００８１】
なお、記憶部２７から抽出された文字情報は、データ変換部２０１を通して表示装置２５に画像として提示されるほか、データ変換部２０１を通して音声入出力装置２３に音声として提示されてもよい。音声による提示を行えば、視覚に障害を有する居住者であっても文字情報を受け取ることが可能になる。
【００８２】
上述のように「選択」の処理を可能にしたので、住宅情報盤２を用いて共同玄関子機３との間で通話を行うと、通話終了に伴って、実施日時の迫った行事の情報が表示装置２５に自動的に提示される。そのため、住宅情報盤２を利用する居住者は、特別な操作を行うことなく実施日時が迫っている行事に対する注意が喚起されることになる。
【００８３】
なお、共同玄関子機３との通話終了の時点だけではなく、文字情報の有効期限に対して所定時間前（たとえば、５時間前、前日など）になると、当該文字情報を表示装置２５に提示する構成を採用してもよい。この場合、日時抽出部２０２は、記憶部２７に保存されている文字情報から有効期限の日時をあらかじめ抽出し、抽出した有効期限に対して上述した所定時間前の日時の一覧を作成しておけばよい。比較部２０３は、この日時の一覧と時計部２８が計時する現在日時との比較を常時行うことによって、一覧に含まれる日時に現在日時が一致したときに、該当する文字情報を表示装置２５に提示するようにしてもよい。
【００８４】
住宅情報盤２を利用する居住者によっては、「選択」の処理が不要な場合もある。そこで、住宅情報盤２は、「選択」を行う動作の有効と無効とを設定可能にしておいてもよい。「選択」の動作を無効に設定している場合、記憶部２７に保存された文字情報は、住宅情報盤２の指示操作を行うことにより表示装置２５に提示させることになる。また、「選択」の動作を有効に設定している場合、文字情報の提示の際に、音声入出力装置２３を用いて通知音の出力、図示しない表示灯の点灯などによって、文字情報の提示を報知してもよい。
【００８５】
上述した制御部２０の動作を、図７にまとめて示す。図示例では、「更新」を表題に基づいて行う場合を例示しているが、日時に基づいて行う場合は、「表題」を「日時」に読み替えた処理になる。なお、図７では、「更新」を日時と表題との両方を条件として行う場合については示していない。また、「削除」「更新」「選択」のすべての動作を有効にした場合を記載している。
【００８６】
住宅情報盤２が文字情報を受信すると（Ｓ１１）、日時抽出部２０２は、受信した文字情報から有効期限に相当する日時を抽出する（Ｓ１２）。比較部２０３は、日時抽出部２０２が抽出した日時を、記憶部２７に保存されている文字情報から抽出した日時と比較する（Ｓ１３）。記憶部２７から抽出した日時に一致すると（Ｓ１３：Ｙｅｓ）、データ管理部２０４は、記憶部２７に記憶された文字情報のうち日時が一致した文字情報を受信した文字情報に置き換える（Ｓ１４）。この動作が「更新」に相当する。また、日時抽出部２０２が抽出した日時が記憶部２７に保存されている文字情報から抽出した日時と一致しない場合（Ｓ１３：Ｎｏ）、受信した文字情報を記憶部２７に保存する（Ｓ１５）。
【００８７】
次に、定時になると（Ｓ１６：Ｙｅｓ）、日時抽出部２０２は、記憶部２７に保存されている文字情報の有効期限に相当する日時と、時計部２８が計時している現在日時とを比較する（Ｓ１７）。記憶部２７に保存された文字情報から抽出した日時が、現在日時に対して過去の日時であるときには（Ｓ１７：Ｙｅｓ）、記憶部２７に保存された文字情報のうち当該日時に一致する文字情報の「削除」を行う（Ｓ１８）。なお、定時ではないか（Ｓ１６：Ｎｏ）、記憶部２７に保存された文字情報から抽出した日時が過去ではない場合（Ｓ１７：Ｎｏ）、何も行わずに次の処理に移行する。
【００８８】
共同玄関子機３との通話が終了したことを通信検出部２０６が検出すると（Ｓ１９：Ｙｅｓ）、比較部２０３は、記憶部２７から有効期限に相当する日時の迫っている文字情報を抽出し、抽出した文字情報を表示装置２５に表示する（Ｓ２０）。通信検出部２０６が通話終了を検出しない場合は（Ｓ１９：Ｎｏ）、次の処理に移行する。
【００８９】
図７に示した処理手順は、住宅情報盤２における文字情報に対する主要な処理の概要であって、個々の処理の詳細は上述した通りである。
【符号の説明】
【００９０】
１  システム制御装置
２  住宅情報盤
３  共同玄関子機
４  管理装置
５  構内通信網
１０  制御部
１１  第１の通信インターフェイス部
１２  第２の通信インターフェイス部
１３  第３の通信インターフェイス部
２０  制御部
２３  音声入出力装置
２５  表示装置
２７  記憶部
２８  時計部
４６  電源出力制御回路
５１  第１の通信路
５２  第２の通信路
５３  第３の通信路
１０１  パケット多重化部
１０２  配信確認処理部
２０１  データ変換部
２０２  日時抽出部
２０３  比較部
２０４  データ管理部
２０５  表題抽出部
２０６  通信検出部
【図１】
0005942241.tif 000002
【図２】
0005942241.tif 000003
【図３】
0005942241.tif 000004
【図４】
0005942241.tif 000005
【図５】
0005942241.tif 000006
【図６】
0005942241.tif 000007
【図７】
0005942241.tif 000008